(57)【要約】【課題】長期間屋外等で使用しても破断してピンチを脱落させてしまうことがなく耐久性に優れた物干器のピンチ吊下具を提供する。【解決手段】物干器のフレーム本体とピンチとを連結するピンチ吊下具において、ピンチ吊下具１を、本体部２ａの長さ方向の両端にフック部２ｂ、２ｂが設けられてなる金属製芯体２の外周面に合成樹脂被覆体３を一体的に被覆形成して得られる、両端にフック部１１、１１を有する複合体で構成する。【選択図】　図１
2004141289.tif 000002
【特許請求の範囲】
【請求項１】
物干器のフレーム本体とピンチとを連結するピンチ吊下具において、
前記ピンチ吊下具が、金属製芯体の外面に合成樹脂からなる被覆体が一体的に被覆形成されたものからなることを特徴とする物干器のピンチ吊下具。
【請求項２】
物干器のフレーム本体とピンチとを連結するピンチ吊下具であって、両端にフック部を備えたピンチ吊下具において、
前記ピンチ吊下具が、
本体部の両端にフック部が設けられてなる金属製芯体と、
該芯体の本体部及び両フック部の外面に一体的に被覆形成された合成樹脂被覆体とからなることを特徴とする物干器のピンチ吊下具。
【請求項３】
前記合成樹脂被覆体が、インサート成形により前記金属製芯体の外面に一体的に被覆形成されたものからなる請求項１または２に記載の物干器のピンチ吊下具。
【請求項４】
前記合成樹脂被覆体が透明または半透明である請求項１〜３のいずれか１項に記載の物干器のピンチ吊下具。
【請求項５】
前記被覆体を構成する合成樹脂として熱可塑性エラストマー、軟質合成樹脂等の弾性変形可能な合成樹脂が用いられ、前記被覆体のフック部の先端は該被覆体の本体部に近接して配置される一方、前記金属製芯体のフック部の先端は該金属製芯体の本体部と離間して配置されている請求項２〜４のいずれか１項に記載の物干器のピンチ吊下具。
【発明の詳細な説明】
【０００１】
【発明の属する技術分野】
この発明は、屋外等で長期間使用をしても破断等することがなくて耐久性に優れた、物干器のピンチ吊下具に関する。
【０００２】
【従来の技術】
従来より、ピンチ付物干器としては、平面視矩形状のフレーム本体（枠本体）にピンチ吊下具を介してピンチが複数個所定間隔で吊り下げられたものが周知である。
【０００３】
前記ピンチ吊下具としては、スチール等の金属からなる鎖を連結したもの（引用文献１参照）等金属素材からなるものがあるが、屋外で使用することによって長期間風雨に晒されると錆びが生じるという問題があった。このように錆が生じると、外観体裁が悪くなるし、洗濯物を傷付けたり、洗濯物に錆が付着して汚してしまうことが懸念される。
【０００４】
そこで、近年では、ピンチ吊下具の素材としては合成樹脂が用いられることが多い（特許文献２参照）。このような合成樹脂を用いることによって錆の発生による前記諸問題は解決される。
【０００５】
【特許文献１】
特開平１０−８０５９７号公報（第２頁段落００１１）
【０００６】
【特許文献２】
実開平５−３９４９４号公報（段落０００２、０００６）
【０００７】
【発明が解決しようとする課題】
しかしながら、上記従来の合成樹脂からなるピンチ吊下具では次のような問題があった。即ち、物干器を屋外等で使用すると太陽光の紫外線等によって合成樹脂が劣化してピンチ吊下具の表面に徐々に亀裂が生じてくるが、更に太陽光を浴び続けると共に洗濯物をピンチに取り付ける際のピンチ吊下具への応力負荷等の諸要因が複合的に継続して加わることで、次第に亀裂が拡大してピンチ吊下具が破断してしまい、このためにその箇所に吊り下げられていたピンチが脱落する。このようにピンチが脱落していくと物干器としての機能が大きく低下することから、ピンチ吊下具以外の構成部材（フレーム本体等）はまだ十分に使用できる状態にあるにもかかわらず、物干器を新しいものに交換することを余儀なくされていた。まだ十分に使用できる状態にある構成部材を含めて廃棄処分せざるを得ないという状況は、近年社会的要請の強い環境保護、資源の有効活用の観点からも望ましいものではない。
【０００８】
この発明は、かかる技術的背景に鑑みてなされたものであって、長期間屋外等で使用しても破断してピンチを脱落させてしまうことがなく耐久性能に優れた物干器のピンチ吊下具を提供することを目的とする。
【０００９】
【課題を解決するための手段】
上記目的は、物干器のフレーム本体とピンチとを連結するピンチ吊下具において、前記ピンチ吊下具が、金属製芯体の外面に合成樹脂からなる被覆体が一体的に被覆形成されたものからなることを特徴とする物干器のピンチ吊下具によって達成される。なお、本構成においては、金属製芯体の外面の全面が被覆体で被覆されていても良いし、或いはこの発明の効果を阻害しない範囲であれば、金属製芯体の外面の一部に被覆体で被覆されていない箇所があっても良い。
【００１０】
このピンチ吊下具では、外側が合成樹脂被覆体で一体的に被覆されていることにより、長期間使用しても錆が発生することがないので、外観体裁が良好に維持されるし、洗濯物を傷付けたり、洗濯物に錆が付着することもない。また、内部に金属製芯体を有するので、屋外等で長期間使用して太陽光の紫外線等に晒されて合成樹脂が劣化したり、ピンチ取り付けの際の応力負荷が長期間加わっても、吊下具自体が破断することはなく、このように耐久性能に優れている。従って、このピンチ吊下具を用いて物干器を構成すれば、長期間にわたってピンチの脱落を防止できる耐久性に優れた物干器を提供できる。
【００１１】
また、上記目的は、物干器のフレーム本体とピンチとを連結するピンチ吊下具であって、両端にフック部を備えたピンチ吊下具において、前記ピンチ吊下具が、本体部の両端にフック部が設けられてなる金属製芯体と、該芯体の本体部及び両フック部の外面に一体的に被覆形成された合成樹脂被覆体とからなることを特徴とする物干器のピンチ吊下具によって達成される。なお、本構成においては、金属製芯体の外面の全面が被覆体で被覆されていても良いし、或いはこの発明の効果を阻害しない範囲であれば、金属製芯体の外面の一部に被覆体で被覆されていない箇所があっても良い。
【００１２】
このピンチ吊下具では、外側が合成樹脂被覆体で一体的に被覆されていることにより、長期間使用しても錆が発生することがないので、外観体裁が良好に維持されるし、洗濯物を傷付けたり、洗濯物に錆が付着することもない。また、内部に金属製芯体を有するので、屋外等で長期間使用して太陽光の紫外線等に晒されて合成樹脂が劣化したり、ピンチ取り付けの際の応力負荷が長期間加わっても、吊下具自体が破断することはなく、このように耐久性能に優れている。従来の合成樹脂だけで構成された吊下具では、フック部の根元（基端部）付近で破断することが特に多かったが、この発明の吊下具では、このような箇所においても金属製芯体の存在により破断することがない。従って、このピンチ吊下具を用いて物干器を構成すれば、長期間にわたってピンチの脱落を防止できる耐久性に優れた物干器を提供できる。
【００１３】
この発明のピンチ吊下具において、前記合成樹脂被覆体は、インサート成形により前記金属製芯体の外面に一体的に被覆形成されたものからなるのが好ましい。金属製芯体と合成樹脂被覆体をインサート成形で一体化することで、両者の一体化の接合強度を向上できて一層耐久性を高めることができる。
【００１４】
また、前記合成樹脂被覆体は透明または半透明であるのが好ましい。このような構成を採用すれば、中にある金属製芯体が外から透けて外観されるものとなるので、デザイン的に斬新なものとなり、物干器としての付加価値を高めることができる。この場合、被覆体は着色、非着色のいずれであっても良い。
【００１５】
また、前記被覆体を構成する合成樹脂として熱可塑性エラストマー、軟質合成樹脂等の弾性変形可能な合成樹脂が用いられ、前記被覆体のフック部の先端は該被覆体の本体部に近接して配置される一方、前記金属製芯体のフック部の先端は該金属製芯体の本体部と離間して配置されている構成を採用するのが好ましい。これにより、例えばピンチのリングをピンチ吊下具のフック部に取り付ける際にこのフック部の先端部が弾性変形するのでピンチのリングの取り付けが容易になると共に、取り付け後にはフック部の先端部が初期形状に復帰して再びフック部の先端は本体部に近接した状態になるからピンチリングのフック部からの離脱が効果的に防止される。
【００１６】
【発明の実施の形態】
この発明の一実施形態に係る物干器のピンチ吊下具（１）を図１に示す。このピンチ吊下具（１）は、本体部（１０）の長さ方向の両端にフック部（１１）（１１）が設けられたものからなる。このフック部（１１）の先端と本体部（１０）における対峙部（１０ａ）との間に挿通開口部（１２）が形成されている。
【００１７】
前記ピンチ吊下具（１）は、本体部（２ａ）の長さ方向の両端にフック部（２ｂ）（２ｂ）が設けられてなる金属製芯体（２）（図１〜３参照）と、該金属製芯体（２）の本体部（２ａ）及び両フック部（２ｂ）（２ｂ）の外面に一体的に被覆形成された合成樹脂被覆体（３）（図１、２参照）とからなる。即ち、金属製芯体（２）の外面に一体的に被覆形成された合成樹脂被覆体（３）は、本体部（３ａ）と両フック部（３ｂ）（３ｂ）とからなる。
【００１８】
前記ピンチ吊下具（１）では、外側が合成樹脂被覆体（３）で一体的に被覆されていることにより、長期間使用しても錆が発生することがない。また、内部に金属製芯体（２）を有するので、屋外等で長期間使用して太陽光の紫外線等に晒されて合成樹脂が劣化したり、ピンチ取り付けの際の応力負荷が長期間加わっても、吊下具自体が破断することはなく、耐久性にも優れている。
【００１９】
前記ピンチ吊下具（１）の本体部（１０）の表裏面には、図１、２に示すように、それぞれ３つの凹部（１４）（１４）（１４）が形成されており、該凹部（１４）から前記金属製芯体（２）の一部が外観されるように構成されており、これによりデザイン的なアクセントが付与される。
【００２０】
また、本実施形態では、前記被覆体（３）を構成する合成樹脂は透明であるから、中にある金属製芯体（２）が外から透けて外観されるものとなるので、デザイン的に斬新なものとなる。なお、前記合成樹脂被覆体（３）を半透明に構成しても同様の効果が得られる。
【００２１】
前記芯体（２）を構成する合成樹脂としては、硬質樹脂、軟質樹脂、熱可塑性エラストマー等どのような樹脂でも用いることができ、特に限定されるものではないが、例えばポリエチレン、ポリプロピレン、エチレン−酢酸ビニル共重合体樹脂（ＥＶＡ樹脂）、ポリエステル樹脂、スチレン系熱可塑性エラストマー、オレフィン系熱可塑性エラストマー等が挙げられる。
【００２２】
また、前記被覆体（３）を構成する金属としては、特に限定されるものではないが、例えばアルミニウム、ステンレス、スチール、鉄等が挙げられる。
【００２３】
上記のようなピンチ吊下具（１）は、例えば次のようにして製作できる。即ち、図４に示すように、下側の射出成形型（２１）の所定位置に金属製芯体（２）を配置せしめた後、上側の射出成形型（２０）を閉締状態に重ね合わせる。この時、上下一対の射出成形型（２０）（２１）で形成されるキャビティー（２２）内において、前記金属製芯体（２）が上下一対の挟込突部（２３）（２３）によって安定状態に挟み込み固定される。この状態でキャビティー（２２）内に合成樹脂を射出することによって、金属製芯体（２）の本体部（２ａ）及び両フック部（２ｂ）（２ｂ）の外面に合成樹脂被覆体（３）が一体的に被覆形成されたピンチ吊下具（１）を製作できる。このようなインサート成形によって前記合成樹脂被覆体（３）を前記金属製芯体（２）の外面に一体的に被覆形成すれば、被覆体（３）と芯体（２）の接合強度を向上させることができる利点がある。なお、本実施形態では、前記挟込突部（２３）（２３）で挟み込まれた対応位置において前記凹部（１４）が合成樹脂被覆体（３）の表裏面に形成される。
【００２４】
図６に、上記ピンチ吊下具（１）を用いて構成された物干器の一例を示す。この物干器（３０）は、フレーム本体（３１）に設けられた複数のピンチ取付部（３２）…のそれぞれに上記ピンチ吊下具（１）を介してピンチ（３３）が吊り下げられてなる。即ち、図５に示すように、ピンチ取付部（３２）の中央には取付孔が穿設されており、吊下具（１）の上側フック部（１１）がこの取付孔に挿入配置されて上側フック部（１１）がピンチ取付部（３２）に取り付けられる一方、吊下具（１）の下側フック部（１１）にピンチ（３３）のリング（３３ａ）が取り付けられることによって、複数のピンチ取付部（３２）…のそれぞれに吊下具（１）を介してピンチ（３３）が吊り下げられている。なお、フレーム本体（３１）は、一対の吊下げワイヤー（３９）（３９）を介して吊手（３８）により吊り持ちされるようになされている。なお、この発明に係る物干器のピンチ吊下具（１）は、図６に示した物干器以外の物干器にも用いることができる。
【００２５】
図７に、この発明のピンチ吊下具の変形例を示す。この実施形態では、被覆体（３）を構成する合成樹脂として熱可塑性エラストマー、軟質合成樹脂等の弾性変形可能な合成樹脂が用いられると共に、被覆体のフック部（３ｂ）の先端（１５）は該被覆体本体部（３ａ）の対峙部（１７）に近接して配置される一方、金属製芯体のフック部（２ｂ）の先端（１６）は該金属製芯体の本体部（２ａ）の対峙部（１８）と離間して配置された構成が採用されている。その他の構成については前記図１に示した実施形態と同様であるので、同一の符号を付してその説明は省略する。このような構成を採用すれば、吊下具（１）のフック部（１１）の先端部領域には金属製芯体（２）が存在しないので、例えばピンチ（３３）のリング（３３ａ）を挿通開口部（１２）を介してピンチ吊下具のフック部（１１）に取り付ける際にこのフック部（１１）の先端部が弾性変形するのでピンチのリング（３３ａ）の取り付けを容易に行うことができるし、取り付け後にはフック部（３ｂ）の先端部が初期形状に復帰して再びフック部（３ｂ）の先端（１５）が本体部（３ａ）の対峙部（１７）に近接した状態になるからピンチのリング（３３ａ）の吊下具フック部（１１）からの離脱が効果的に防止される。
【００２６】
なお、上記実施形態では、いずれにおいても、金属製芯体（２）としては板状のもの（フック部を除いて）が用いられているが、特にこのような形状に限定されるものではなく、例えば針金状に形成されていても良い。また、吊下具（１）の本体部（１０）の形状も例示のものに特に限定されるものではない。
【００２７】
【発明の効果】
請求項１、２の発明によれば、外側が合成樹脂被覆体で一体的に被覆されていることにより、長期間使用しても錆が発生することがないので、外観体裁が良好に維持されるし、洗濯物を傷付けたり、洗濯物に錆が付着することもない。また、内部に金属製芯体を有するので、屋外等で長期間使用して太陽光の紫外線等に晒されて合成樹脂が劣化したり、ピンチ取り付けの際の応力負荷が長期間加わっても、吊下具自体が破断することはなく、このように耐久性能に優れている。従って、このピンチ吊下具を用いて物干器を構成すれば、長期間にわたってピンチの脱落を防止できる耐久性に優れた物干器を提供できる。
【００２８】
また、請求項２の発明によれば、従来問題となっていたピンチ吊下具のフック部の根元（基端部）付近での破断も確実に防止できる。
【００２９】
請求項３の発明によれば、金属製芯体と合成樹脂被覆体の一体化の接合強度を大きくすることができて、吊下具の耐久性を一層向上させることができる。
【００３０】
請求項４の発明によれば、中にある金属製芯体が外から透けて外観されるものとなるので、デザイン的に斬新なものとなり、物干器としての付加価値を高めることができる。
【００３１】
請求項５の発明によれば、例えばピンチのリングをピンチ吊下具のフック部に取り付ける際の取り付け作業性を向上できると共に、取り付け後においてはピンチの離脱を効果的に防止できる。
【図面の簡単な説明】
【図１】（イ）はこの発明の一実施形態に係るピンチ吊下具を示す正面図、（ロ）は同右側面図である。
【図２】図１におけるＡ−Ａ線の断面図である。
【図３】（イ）は金属製芯体を示す正面図、（ロ）は同右側面図である。
【図４】インサート成形時の射出成形型の断面図である。
【図５】フレーム本体にピンチ吊下具を介してピンチを吊り下げた状態を示す斜視図である。
【図６】物干器を示す斜視図である。
【図７】（イ）は他の実施形態に係るピンチ吊下具を示す正面図、（ロ）は同右側面図である。
【符号の説明】
１…ピンチ吊下具
２…金属製芯体
２ａ…本体部
２ｂ…フック部
３…被覆体
３ａ…本体部
３ｂ…フック部
１０…吊下具の本体部
１１…吊下具のフック部
３０…物干器
３１…フレーム本体
３３…ピンチ
【図１】
2004141289.tif 000003
【図２】
2004141289.tif 000004
【図３】
2004141289.tif 000005
【図４】
2004141289.tif 000006
【図５】
2004141289.tif 000007
【図６】
2004141289.tif 000008
【図７】
2004141289.tif 000009